(57)【要約】【解決手段】コネクタアセンブリは、カードスロットを有する筐体を含み、カードスロット内に位置する端子を含み、この端子は性能を改善させるように調整される。端子は、接触部と、テールと、それらの間に延びる本体とを含む。接触部は、偏向部およびパッドインターフェース部を含むことができる。偏向部は二重ビーム部および単一ビーム部を含む。本コネクタは、カードスロットの両側に位置する接触部の列を提供するように構成することができる。【選択図】図１２
2017500711.tif 000002
【特許請求の範囲】
【請求項１】
カードスロットを有する筐体であって、前記カードスロットが端子溝を有する第１の側部を含む筐体と、
打ち抜かれた対の端子であって、該端子は前記筐体によって支持され、前記端子の各々がテールと、前記端子溝内に位置する接触部と、前記テールと前記接触部との間に延びる本体とを含む、対の端子とを備え、該対の端子内の端子の各々の接触部が、偏向部およびパッドインターフェース部を含み、前記偏向部は、二重ビーム部および単一ビーム部を含む、コネクタ。
【請求項２】
前記カードスロットが、該カードスロットの両側に位置する端子溝を含み、前記対の端子が第１の対の端子であり、前記カードスロットが端子溝を有する第２の側部を有し、前記コネクタが、前記第２の側部上の前記端子溝内に位置する第２の対の端子をさらに備え、前記第２の対の端子の各端子が、偏向部およびパッドインターフェース部を含む接触部を含み、前記偏向部が二重ビーム部および単一ビーム部を含む、請求項１に記載のコネクタ。
【請求項３】
前記単一ビーム部が前記二重ビーム部と前記パッドインターフェース部との間にある、請求項１又は２に記載のコネクタ。
【請求項４】
前記二重ビーム部が第１の長さを有し、前記単一ビーム部が前記第１の長さよりも短い第２の長さを有する、請求項１〜３のいずれか１項に記載のコネクタ。
【請求項５】
前記対の端子が、１２ＧＨｚでの反射損失を引いた後、１０ｄＢの信号が残るような、１２ＧＨｚでの信号送信に対応するように構成される、請求項１〜４のいずれか１項に記載のコネクタ。
【請求項６】
１２ＧＨｚでの反射損失を引いた後、１４ｄＢの信号が残る、請求項５に記載のコネクタ。
【請求項７】
カードスロットを有する筐体と、
該筐体によって支持され、第１の信号端子を有する第１のウェハであって、前記第１の信号端子はテールと、接触部と、それらの間に延びる本体とを有し、前記第１の信号端子の接触部は偏向部と、前記第１の信号端子の遠位端にパッドインターフェース部とを有し、前記第１の信号端子の偏向部は二重ビーム部および単一ビーム部を含む、第１のウェハと、
前記筐体によって支持され、第２の信号端子を有する第２のウェハであって、前記第２の信号端子はテールと、接触部と、それらの間に延びる本体とを有し、前記第２の信号端子の接触部は偏向部と、前記第２の信号端子の遠位端にパッドインターフェース部とを有し、前記第２の信号端子の偏向部は二重ビーム部および単一ビーム部を含む、第２のウェハと、
前記筐体によって支持され、第３の端子を有する第３のウェハであって、前記第３の端子はテールと、接触部と、それらの間に延びる本体とを有し、前記第３の端子の接触部は偏向部と、前記第３の端子の遠位端にパッドインターフェース部とを有し、前記第３の端子の偏向部は二重ビーム部および単一ビーム部を含む、第３のウェハとを備え、前記第１および第２の信号端子ならびに第３の端子は、それらのそれぞれの接触部が前記カードスロットの１つの側部で列になるように配置される、コネクタ。
【請求項８】
各ウェハが２つの端子を支持し、各ウェハの前記２つの端子は、逆の方向に偏向するように構成され、かつ前記カードスロットの対向する側部に位置する接触部を有する、請求項７に記載のコネクタ。
【請求項９】
前記第１および第２のウェハが、２つの信号端子を各々支持する、請求項８に記載のコネクタ。
【請求項１０】
各端子の前記偏向部は、前記本体のインピーダンスに対して、前記単一ビーム部におけるインピーダンスの増加および前記二重ビーム構成におけるインピーダンスの減少を提供するように構成される、請求項７〜９のいずれか１項に記載のコネクタ。
【請求項１１】
前記二重ビーム部が前記本体に隣接し、前記単一ビーム部が前記パッドインターフェース部に隣接する、請求項７〜１０のいずれか１項に記載のコネクタ。
【請求項１２】
前記二重ビーム部が第１の長さを有し、前記単一ビーム部が前記第１の長さより短い第２の長さを有する、請求項７〜１１のいずれか１項に記載のコネクタ。
【発明の詳細な説明】
【技術分野】
【０００１】
関連出願
本出願は、２０１３年１２月２０日に出願された、米国仮特許出願第６１／９１９，２７８号に対する優先権を主張する。
【背景技術】
【０００２】
本開示は、コネクタの分野に関し、さらに詳細には、さらに高いデータレートの応用において使用されることを意図したコネクタに関する。
【０００３】
コネクタは、装置内の部品間または装置間のいずれかで、様々な装置をともに接続するために広く使用されている。両方に使用することができるコネクタの１つの種類は、入力／出力（ＩＯ）コネクタである。ＩＯコネクタは、数々の構成において利用可能であるが、最も一般的なＩＯコネクタのいくつかは、規格に遵守するように意図された構成内で提供される。例えば、ＳＡＳ／ＳＡＴＡ規格は、単に数々の規格のうちの１つであるが、その様々な様式において、数々の異なるＩＯコネクタ構成を定義する。各ＩＯコネクタ構成は、特定の機能を満たすことが意図され、そのため、異なるコネクタ構成は、各意図される機能が効率的で費用効果の高い方式で行われることができるように設計される。例えば、内部コネクタは、絶縁プラスチックで形成されがちであり（ＥＭＩシールドへの必要性が少ないため）、外部コネクタは、ＥＭＩシールドへの所望のために、筐体を囲むシールド（例、ケージ）を有して形成されがちである。
【０００４】
理解されることができるように、一度いくつかのコネクタ構成を有する規格が普及されると、同じコネクタ構成を将来の規格の様式で使用することを継続することが所望される。これは、古い様式が新しい様式のすべての機能に対応できないとしても、異なる様式間の後方互換性を可能にする。そのため、新しいコネクタ構成が追加されてもよいし、または古いコネクタ構成が除去されてもよいが、コネクタ構成を根本的に変えることへの抵抗がある。これは、少なくとも部分的に、構成への慣れが、ボックスおよびサーバの開発者などが、同じ（または同様の）物理的制約に基づいて、効率的に新しい製品を設計するのを可能にするためである。例えば、ｍｉｎｉＳＡＳ  ＨＤコネクタは、４つの送信チャネルおよび４つの受信チャネルを有し、所定の物理的なサイズを有するため、このコネクタを使用する個人は、このコネクタがＳＡＳ規格の様式間で一貫していること（例えば、ＳＡＳ規格は様式２．０から３．０へ、４．０へと移行するため）を好むであろう。しかしながら、規格の次の様式の性能が以前の様式に比べて向上するため、これが多少問題を生んでいる。任意の構成は、しばしば性能が向上したものに対応できるが、ときには、第２の性能の向上がさらなる課題となる。例えば、ＳＡＳ規格は、チャネル毎６Ｇｂｐｓから、様式３．０（まもなくリリースされる）ではチャネル毎１２Ｇｂｐｓになり、様式４．０ではチャネル毎２０〜２４Ｇｂｐｓとなることが予測されている、ｍｉｎｉＳＡＳ  ＨＤコネクタを有する。同様に、ＰＣＩｅ規格は、様式ＩＩＩでは８Ｇｂｐｓに移行しつつあり、様式ＩＶでは１６Ｇｂｐｓになることが予測されている。２０を超えるＧｂｐｓ程度、またはそれ以上の向上は、以前は無関係であった詳細の多くが効果的なコネクタの設計に対して重大となるため、コネクタの設計に伴う実質的な問題を生じている。しかしながら、これらのコネクタのユーザは、依然として、レガシー設計で機能することができる一方でさらに高いデータレートにも対応するコネクタを有することを所望する。そのため、特定の個人は、コネクタシステムへのさらなる改善を望むであろう。
【発明の概要】
【課題を解決するための手段】
【０００５】
コネクタは、カードスロットを有する筐体を含む。筐体は、カードスロット内に位置する接触部をそれぞれが有する複数の端子を支持する。接触部の各々は、偏向部およびインターフェース部を有する。偏向部は、二重ビーム構造および単一ビーム構造を含む。
【０００６】
本発明は例示のために例証され、同じ参照符号が同様の要素を示す添付図面に制限されるものではない。
【図面の簡単な説明】
【０００７】
【図１Ａ】コネクタ構成としての使用に好適な例示の筐体の断面を例証する図である。
【図１Ｂ】図１に示される筐体内での使用に好適な先行技術の端子構成を例証する図である。
【図２Ａ】２つのカードスロットを有する筐体の一実施形態の斜視図を例証する図である。
【図２Ｂ】線２Ｂ―２Ｂに沿って切り取られた、図２Ａに示される実施形態の断面の立側面図を例証する図である。
【図３】図２Ａに示される実施形態の部分斜視図を例証する図である。
【図４】複数の端子を支持する３つのウェハの一実施形態の斜視図を例証する図である。
【図５】図４に示されるウェハによって支持される３つの端子の拡大斜視図を例証する図である。
【図６】３つのウェハの一実施形態の立側面図を例証する図である。
【図７】フレームが取り除かれた、図４に示される端子の斜視図を例証する図である。
【図８】図７に示される実施形態の立側面図を例証する図である。
【図９】図７に示される実施形態の別の立側面図を例証する図である。
【図１０】並んで位置するように構成される３つの端子の一実施形態の斜視図を例証する図である。
【図１１】図１０に示される実施形態の別の斜視図を例証する図である。
【図１２】図１０に示される実施形態の立側面図を例証する図である。
【図１３】既存のおよび新規の接触システムでの反射損失を示すグラフを例証する図である。
【図１４】既存のおよび新規の接触システムのインピーダンスプロットを示すグラフを例証する図である。
【図１５】既存のおよび新規の接触システムにおける反射損失のプロットを示すグラフを例証する図である。
【発明を実施するための形態】
【０００８】
以下の詳細な説明は、例示の実施形態を説明し、明示的に開示される組み合わせに限定されることを意図するものではない。そのため、注記されない限り、本明細書で開示される特徴は、互いに組み合わせられて、簡潔性のために示されない追加の組み合わせを形成してもよい。
【０００９】
図１Ａから理解され得るように、先行技術のコネクタの筐体２２は、２つのカードスロット２３、２４を含む。接触部６０が、カードスロット２３、２４内に位置する。数々のコネクタが存在するが、このような構造は、Ｓｅｒｉａｌ  Ａｔｔａｃｈｅｄ  ＳＣＳＩ（ＳＡＳ）様式２．１規格において定義されるｍｉｎｉＳＡＳ  ＨＤ形式のコネクタに対して提供されるものと同様である。
【００１０】
図１Ｂは、端子を打ち抜くことによって形成される先行技術の端子６０の構成を例証する。既知であるように、端子６０は、テール７２を接触部７３に接続する本体７１を含む。接触部７３は、偏向部Ｂおよびパッドインターフェース部Ａを含む。既知であるように、測定の観点から、パッドインターフェース部Ａは、パッド１５のサイズに部分的によって、容量性であるが（そのために端子のインピーダンスにおけるディップを引き起こす）、コネクタ設計における固有の公差累積によって、パッド１５のサイズを減少させることが困難である。さらに、パッドインターフェース部Ａの調整は、スタビングへの抵抗を提供する必要のため、困難である。テール７２（図６のテール１７２ａ、１７２ｂ、１７２ｃから理解され得るように、端子から隣接する端子へ位置が異なり得る）も、わずかに容量性であるように測定できるが、支持回路基板におけるビアのサイズの制約を考慮すると、支持回路基板の複雑性を実質的に増加させずにテールを大幅に修正することは困難となる。本体７１は、厚みと、端子に沿って延びる誘電チャネルを変更することによって、所望されるインピーダンスに容易に調整することができる。しかしながら、偏向部Ｂは、偏向部Ｂの長さおよびサイズのために、インピーダンススパイクを引き起こす実質的な誘導性の増加を受ける。このインピーダンススパイクは、コネクタシステムがさらに高いデータレートをサポートするのを困難にすることが判明されている。偏向部Ｂの形状の評価において、偏向部Ｂが所望されるビーム特性（設定および接触力への抵抗など）を提供しようとする場合、材料特性が形状を規定するため、修正するのが困難であることが証明されている。他のさらに複雑な端子構造（打ち抜かれてから形成される構造など）が、性能においてさらなる向上をもたらすが、このような代替の構造は、さらなる器具を必要とし、追加の工数を必要とし、そのために作る時間がさらに長くなるため、さらに複雑であり、さらに費用が高い。そのため、可能な場合は、打ち抜かれた端子を使用することが所望される。結果的に、既知の構成を使用する打ち抜かれた端子は、さらに高いレベルの性能をサポートしようとする場合、課題があることが判明されている。
【００１１】
図２Ａは、嵌合面１２０ａおよび装着面１２０ｂを有するコネクタ１２０を示し、コネクタ１２０は筐体１２２を含む。そのため、コネクタ１２０は、回路基板（図示せず）上に装着されるように構成される。本明細書で示されるような雌端子を有するコネクタに対して、回路基板上に装着されることが一般的であるが、このような使用は必須ではなく、代替の実施形態において、コネクタ内で使用される端子は、プラグコネクタにおいても使用されることができることに留意されるべきである。このような実施形態において、端子は、依然として、回路基板（典型的にパドルカードである）に終端されるように構成されることができ、または、ケーブルなどの導電性部材に直接終端されるように構成されることができる。そのため、示される実施形態は、注記されない限り、制限するように意図されない。
【００１２】
示されるように、筐体１２２は、組み立ての簡便さを可能にするように、および構造上の理由で、前部１２２ａ、および後部１２２ｂを含むが、単一部品の筐体もまた好適である。示される筐体１２０は、それぞれが複数の端子溝１２５を有する２つのカードスロット１２３および１２４を含む。動作において、端子と嵌合するように構成されるパッド１１５を含む、適切な数のパドルカード１１２を有する、プラグ（図示せず）は、コネクタ１２０と嵌合され、その結果、電気接続を提供することができる。理解され得るように、コネクタ１２０は直角構成であるが、角度が付けられた構成および垂直な構成を含む、任意の所望される筐体の構成を提供することができることが理解されるべきであり、そのため、示される構成は制限することを意図するものではない。さらに、２つのカードスロット１２３、１２４が示されているが、本明細書で示される端子は、１つまたは３つ以上のカードスロットなど、いくつかの他の数のカードスロットを伴うコネクタにも好適である。さらに、示される端子は、高いデータレートに構成される信号チャネルのために主に使用されることに留意されるべきである。特定のコネクタに対して、さらに低いデータレートで動作するように意図されるいくつかの端子のためには、従来の端子を使うことが好適であり、改善されたインピーダンスプロファイルからの利益を得るチャネルに対しては、改善された端子だけを使用することが好適である。
【００１３】
図２Ｂは、線２Ｂ−２Ｂに沿って切り取られたコネクタ１２０の断面を例証し、カードスロット１２３、１２４は端子１６０を含む。図から理解され得るように、端子１６０は、各カードスロットの対向する側部上に提供され、端子溝１２５に位置される。具体的に、端子は接触部が４列Ｒ１〜Ｒ４であり、各列が少なくとも１つの組１６０〜１６３の端子（２つの信号端子および１つの接地端子の組）を含むことができるように配置される。
【００１４】
図を見ることから理解され得るように、後壁１４０を有する筐体は、信号ウェハ１５１、１５２および接地ウェハ１５３を含むウェハセット１５０と、フレーム１５４ａ、１５４ｂ、１５４ｃを伴うウェハ支持端子１６０をそれぞれ支持する。さらに詳細には、ウェハ１５１は、端子１６０ａ、１６１ａ、１６２ａ、および１６２ａを含み、一方でウェハ１５２は、端子１６０ｂ、１６１ｂ、１６２ｂ、および１６２ｂを含み、一方でウェハ１５３は、端子１６０ｃ、１６１ｃ、１６２ｃ、および１６３ｃを含む。図１Ｂの先行技術の端子とは違い、示される端子１６０ａ〜１６０ｃ、１６１ａ〜１６１ｃ、１６２ａ〜１６２ｃ、および１６３ａ〜１６３ｃは、テール１７２と、本体１７１と、偏向部Ｄ’およびパッドインターフェースＡ’を有する接触部１７３とを一般的に含むが、偏向部Ｄ’は、二重ビーム部Ｃ’および単一ビーム部Ｂ’を含む。偏向部Ｄ’は、筐体から片持ち状に延び、端子が対応する嵌合コネクタに嵌合するときにパッドインターフェース部Ａ’が並進することを可能にする。単一ビーム部Ｂ’は短くされ、偏向部Ｄ’の誘導性を減少させる（図１Ｂに示される端子の偏向部Ｂと比べて）ため、図２に示されるような従来の端子によってたいてい提供されるインピーダンススパイクを減少させる。二重ビーム部Ｃ’は、端子の本体と比べて、わずかに容量性であるように調整されることができ、そのため、偏向部Ｄ’をさらに相殺するのを助ける。詳細には、わずかに誘導性である別の短い長さに隣接してわずかに容量性である短い長さの端子を有することは、２つの長さが互いに相殺することを引き起こしがちであるため、合わせた長さの性能を改善させることが判明されている。これについては下記でさらに述べられる。
【００１５】
示されるように、各ウェハ１５１〜１５３のテール１７２ａ〜１７２ｃは、フットプリントにおける性能を改善させるように互いにそれぞれ相殺する（これが挿入損失ならびに反射損失を減少させることが予測される）。代替的に、テールは異なる構成を有することができる（例えば、ＳＭＴ形式のテールであることができる）。ＳＭＴ形式のテールは、圧入テールよりも良好な性能であるが、テールの多くがやみくもに半田付けされるため、積層されるコネクタ構成での使用は困難であり、所望されない。
【００１６】
理解され得るように、端子が列に配置された接触部を有し、１つ以上のカードスロットを含むコネクタとともに、接触部の別々の列が各カードスロットの各側部上に提供されることができるように、端子を提供することができる。例えば、示されるコネクタ構成は、接触部の４つの列Ｒ１〜Ｒ４を提供する。
【００１７】
端子の接触部の性能をコンピュータに基づく試験に基づいて例証する図１３〜１４から理解され得るように、改善された接触部を伴う差動対の性能（差動対の両側に比較可能な接地端子を伴う）が、線１９２および線１９４によって例証され、従来の接触システムの性能に比べて、さらに高い周波数でさらに低い反射損失をもたらす（その性能は線１９１および線１９３に示される）。図１３は、１２ＧＨｚでの、反射損失における実質的な改善（８ｄＢ超の改善）を示す。立ち上がり時間４８ｐＳでのインピーダンスが図１４に示され、容易に理解され得るように、二重および単一ビームの両方との接触の結果が線１９４によって示され、目標とされた１００オームを超えて５オーム未満のインピーダンススパイクを有する端子を可能にする（所望されないが、インピーダンスにおけるディップは、性能の観点から問題が少ない傾向があり、そのため、示されるディップは、改善された端子の設計および古い端子の設計の両方に対する許容可能な範囲内である）。
【００１８】
コネクタ１２０の性能が、従来の接触部および改善された接触部の両方で、図１５に例証される。線１９５ａは、従来の接触部を有する短い対のコネクタ１２０の反射損失を例証し、一方で線１９５ｂは、長い対の従来の接触部（コネクタ１２０などの積層されるコネクタのためであり、短いおよび長い対は、コネクタのための性能の予測されるエンベロープを反映する）の反射損失を例証する。線１９６ａ、１９６ｂは、改善された接触部での短いおよび長い対の反射損失を例証する。理解されるように、改善された接触部の設計は、端子の性能を大幅に調節しないいくつかの他の小さな変更とともに、反射損失が引かれた後、１０ＧＨｚで８ｄＢ未満の信号を有し、１２ＧＨｚで６ｄＢ未満の信号を有する従来のビームを伴う端子に比べて、コネクタが、反射損失が引かれた後、１２ＧＨｚに対して残る少なくとも１４ｄＢの信号を保持するレベルで、反射損失を伴うチャネルをもたらす。理解され得るように、反射損失がたった６ｄＢの信号をもたらす場合、コネクタは、実世界の応用に一般的に好適ではないと考えられる（実際、特定の応用では１０ｄＢの信号でさえ、わずかであると考えられる）。したがって、反射損失が引かれた後、信号送信周波数に対して残る１０ｄＢの信号を提供することが望ましくあるため、改善された接続部を有するコネクタ（線１９６ａ、１９６ｂにより例証される）は、１２ＧＨｚ（および以下で考察される挿入損失によって、おそらくは１２．５ＧＨｚ）に対して残る好適な性能を提供するだろう。ＮＲＺ符号化を使用するシステムでは、１２ＧＨｚは約２４Ｇｂｐｓの帯域幅を提供する。そのため、示されるシステムは、２４Ｇｂｐｓのデータレートに対応するコネクタシステムを可能にする。詳細には、端子は、反射損失が引かれた後、１２ＧＨｚに対して残る１０ｄＢの信号を保持する（実際、１４ｄＢの信号を保持する）。
【００１９】
挿入損失も、典型的に使用可能な信号から引かれ、挿入損失は１２ＧＨｚのうち３ｄＢ未満であることが予測されることに留意されるべきである。そのため、示される試験は、１２ＧＨｚの信号周波数またはＮＲＺ符号化を使用する２４Ｇｂｐｓをサポートできる打ち抜かれた端子を持つコネクタを例証する。
【００２０】
示される構成は、単一ビーム部Ｂ’の第２の長さより長い第１の長さを持つ二重ビーム部Ｃ’を有することに留意されるべきである。必要とされないが、このような構成が、さらに高い信号周波数に対するさらなる利益を提供することが判明されている。そのため、Ｃ’の長さがＢ’の長さより長いことが一般的に所望される。
【００２１】
上述のように、本明細書で示される接触部の構成は、圧入式の端子およびＳＭＴ形式の端子を含む、広い範囲の端子構成に使用されることができる。さらに、コネクタは、端子の少なくとも１列が改善された接触部を有するように（二重ビーム／単一ビーム構成の組み合わせで）構成されることができる。さらに、所望される場合、端子は、信号端子および隣接する接地端子のみがそのように構成されるように、列によって異なることができる。しかしながら、改善された構成は打ち抜かれるように補正可能であるため、すべての端子が改善された接触部構成を有することは、合理的に、コスト効果が高い（必要とされないとしても）と予測される。
【００２２】
本明細書で提供される本開示は、その好ましいおよび例示の実施形態に関して特徴を説明する。当業者は、本開示を見ることから、付属の特許請求の範囲の範囲および趣旨内での数々の他の実施形態、修正および変更を思いつくであろう。
【図１Ａ】
2017500711.tif 000003
【図１Ｂ】
2017500711.tif 000004
【図２Ａ】
2017500711.tif 000005
【図２Ｂ】
2017500711.tif 000006
【図３】
2017500711.tif 000007
【図４】
2017500711.tif 000008
【図５】
2017500711.tif 000009
【図６】
2017500711.tif 000010
【図７】
2017500711.tif 000011
【図８】
2017500711.tif 000012
【図９】
2017500711.tif 000013
【図１０】
2017500711.tif 000014
【図１１】
2017500711.tif 000015
【図１２】
2017500711.tif 000016
【図１３】
2017500711.tif 000017
【図１４】
2017500711.tif 000018
【図１５】
2017500711.tif 000019
【手続補正書】
【提出日】平成28年8月17日(2016.8.17)
【手続補正１】
【補正対象書類名】特許請求の範囲
【補正対象項目名】全文
【補正方法】変更
【補正の内容】
【特許請求の範囲】
【請求項１】
カードスロットを有する筐体であって、前記カードスロットが端子溝を有する第１の側部を含む筐体と、
打ち抜かれた対の端子であって、該端子は前記筐体によって支持され、前記端子の各々がテールと、前記端子溝内に位置する接触部と、前記テールと前記接触部との間に延びる本体とを含む、対の端子とを備え、該対の端子内の端子の各々の接触部が、偏向部およびパッドインターフェース部を含み、前記偏向部は、二重ビーム部および単一ビーム部を含み、前記二重ビーム部は第１の長さを有し、前記単一ビーム部は前記第１の長さよりも短い第２の長さを有する、コネクタ。
【請求項２】
前記カードスロットが、該カードスロットの両側に位置する端子溝を含み、前記対の端子が第１の対の端子であり、前記カードスロットが端子溝を有する第２の側部を有し、前記コネクタが、前記第２の側部上の前記端子溝内に位置する第２の対の端子をさらに備え、前記第２の対の端子の各端子が、偏向部およびパッドインターフェース部を含む接触部を含み、前記偏向部が二重ビーム部および単一ビーム部を含む、請求項１に記載のコネクタ。
【請求項３】
前記単一ビーム部が前記二重ビーム部と前記パッドインターフェース部との間にある、請求項２に記載のコネクタ。  
【請求項４】
カードスロットを有する筐体であって、前記カードスロットが端子溝を有する第１の側部を含む筐体と、
打ち抜かれた対の端子であって、該端子は前記筐体によって支持され、前記端子の各々がテールと、前記端子溝内に位置する接触部と、前記テールと前記接触部との間に延びる本体とを含む、対の端子とを含み、該対の端子内の端子の各々の接触部が、偏向部およびパッドインターフェース部を含み、前記偏向部は、二重ビーム部および単一ビーム部を含み、前記対の端子が、１２ＧＨｚでの反射損失を引いた後、１０ｄＢの信号が残るような、１２ＧＨｚでの信号送信に対応するように構成される、コネクタ。
【請求項５】
１２ＧＨｚでの反射損失を引いた後、１４ｄＢの信号が残る、請求項４に記載のコネクタ。
【請求項６】
カードスロットを有する筐体と、
該筐体によって支持され、第１の信号端子を有する第１のウェハであって、前記第１の信号端子はテールと、接触部と、それらの間に延びる本体とを有し、前記第１の信号端子の接触部は偏向部と、前記第１の信号端子の遠位端にパッドインターフェース部とを有し、前記第１の信号端子の偏向部は二重ビーム部および単一ビーム部を含む、第１のウェハと、
前記筐体によって支持され、第２の信号端子を有する第２のウェハであって、前記第２の信号端子はテールと、接触部と、それらの間に延びる本体とを有し、前記第２の信号端子の接触部は偏向部と、前記第２の信号端子の遠位端にパッドインターフェース部とを有し、前記第２の信号端子の偏向部は二重ビーム部および単一ビーム部を含む、第２のウェハと、
前記筐体によって支持され、第３の端子を有する第３のウェハであって、前記第３の端子はテールと、接触部と、それらの間に延びる本体とを有し、前記第３の端子の接触部は偏向部と、前記第３の端子の遠位端にパッドインターフェース部とを有し、前記第３の端子の偏向部は二重ビーム部および単一ビーム部を含む、第３のウェハとを備え、前記第１および第２の信号端子ならびに第３の端子は、それらのそれぞれの接触部が前記カードスロットの１つの側部で列になるように配置され、各端子の偏向部は、前記本体のインピーダンスに対して、前記単一ビーム部におけるインピーダンスの増加および前記二重ビーム構成におけるインピーダンスの減少を提供するように構成される、コネクタ。
【請求項７】
各ウェハが２つの端子を支持し、各ウェハの前記２つの端子は、逆の方向に偏向するように構成され、かつ前記カードスロットの対向する側部に位置する接触部を有する、請求項６に記載のコネクタ。
【請求項８】
前記第１および第２のウェハが、２つの信号端子を各々支持する、請求項７に記載のコネクタ。
【請求項９】
前記二重ビーム部が前記本体に隣接し、前記単一ビーム部が前記パッドインターフェース部に隣接する、請求項６に記載のコネクタ。
【請求項１０】
カードスロットを有する筐体と、
該筐体によって支持され、第１の信号端子を有する第１のウェハであって、前記第１の信号端子はテールと、接触部と、それらの間に延びる本体とを有し、前記第１の信号端子の接触部は偏向部と、前記第１の信号端子の遠位端にパッドインターフェース部とを有し、前記第１の信号端子の偏向部は二重ビーム部および単一ビーム部を含む、第１のウェハと、
前記筐体によって支持され、第２の信号端子を有する第２のウェハであって、前記第２の信号端子はテールと、接触部と、それらの間に延びる本体とを有し、前記第２の信号端子の接触部は偏向部と、前記第２の信号端子の遠位端にパッドインターフェース部とを有し、前記第２の信号端子の偏向部は二重ビーム部および単一ビーム部を含む、第２のウェハと、
前記筐体によって支持され、第３の端子を有する第３のウェハであって、前記第３の端子はテールと、接触部と、それらの間に延びる本体とを有し、前記第３の端子の接触部は偏向部と、前記第３の端子の遠位端にパッドインターフェース部とを有し、前記第３の端子の偏向部は二重ビーム部および単一ビーム部を含む、第３のウェハとを備え、前記第１および第２の信号端子ならびに第３の端子は、それらのそれぞれの接触部が前記カードスロットの１つの側部で列になるように配置され、前記二重ビーム部が第１の長さを有し、前記単一ビーム部が前記第１の長さより短い第２の長さを有する、コネクタ。
【国際調査報告】
2017500711.tif 000020
2017500711.tif 000021
2017500711.tif 000022
2017500711.tif 000023